(57)【特許請求の範囲】
【請求項１】
ドーム状の頭部を備える円柱形状を有する基部と、
前記基部の前記頭部に一端が固定され、他端に硬度の高いテーパ状の尖端部を備えるピンと、
前記尖端部が挿通する貫通孔を有し、前記尖端部と同軸的に前記ピンを覆うように前記基部に固定された、前記頭部との間に間隙が形成されるドーム状の部材である、弾性変形体よりなるカバーと、
からなり、
前記基部を介して前記ピンの前記尖端部を強化ガラスの表面に押しつけることにより前記強化ガラスを破壊する強化ガラス破壊具。
【請求項２】
前記基部は、傘の端部に固定されて使用される請求項１に記載の強化ガラス破壊具。
【請求項３】
前記基部は、前記ピンと背向する側の他端に吸着盤が固定されている請求項１に記載の強化ガラス破壊具。
【発明の詳細な説明】
【技術分野】
【０００１】
本発明は、強化ガラスを破壊するためのピンを備えた強化ガラス破壊具に関する。
【背景技術】
【０００２】
緊急時、例えば、水没した車両内や故障車両内などから脱出するために車両の窓等を構成する強化ガラスを破壊する必要がある。強化ガラスを破壊する器具としては、強化ガラスに押しつけるテーパ状（円すい形状）の尖端部を備えたピンと当該ピンを固定する基部とを備えた特許文献１〜３に開示されているような強化ガラス破壊具がある。
【０００３】
ところで、特許文献１〜３の何れも強化ガラスを破壊するピンを覆うカバーを備えており、強化ガラスを破壊するために使用する前はカバーによりピン、特に尖端部への接触を回避する構成である。特許文献１の緊急脱出用ハンマーはピン（ハンマー体１５）を覆い、使用時には取り外すカバー（キャップ１６）を備えている。特許文献２の簡易窓ガラス割り具はピン（第２テーパ部１３及び先端部１４）を覆い、使用時に取り外す保護カバー１５を備えている。特許文献３の殴打具はピン（殴打ピン２３）を覆い、使用時に取り外すキャップ２７を備えている。
【０００４】
しかしながら、特許文献１〜３の何れもピンを覆うカバーを使用時に外し、使用後はカバーを取り付けなければならない。もしカバーを紛失すれば、ピンの尖端部がむき出しの状態となる。そして、特許文献１〜３はカバーを外さずに使用可能であることが記載されているが、何れもカバーが破損するため、使用後はピンの尖端部を覆うカバーはなく、尖端部はむき出しの状態となる。
【先行技術文献】
【特許文献】
【０００５】
【特許文献１】実用新案登録第３０４５７８０号公報
【特許文献２】特開平１１−１１２４１号公報
【特許文献３】特開２０００−２４６６６９号公報
【発明の概要】
【発明が解決しようとする課題】
【０００６】
本発明は、上記課題（状況）に鑑みてなされたもので、強化ガラスを破壊する際にピンを覆うカバーを取り外したり破損したりすることのない強化ガラス破壊具を提供することを解決すべき課題とする。
【課題を解決するための手段】
【０００７】
本発明者は、ピンを覆うカバーが取り外し可能でありながら、使用の際に取り外さずに強化ガラスにピン部分を押しつけた場合、カバーが破損し、また数度打ち付けなければ強化ガラスが破損しないことに着目した。つまり、カバーに覆われているピンを強化ガラスに押しつけるためには、取り付けられているカバーを破損する手間が必要となる。そこで、強化ガラスを破壊する際には、ピンの少なくとも尖端部が挿通する孔を有するカバーでピンを覆うことで、カバーを取り外す手間がなく且つカバーを紛失しにくいし、カバーを破損するための動作も必要ないことに思い至り本発明を創出したものである。
【０００８】
すなわち本発明の強化ガラス破壊具は、基部とピンとカバーとを有する。基部は、ドーム状の頭部を備える円柱形状を有する。基部はピンを固定する部材であり、ピンを強化ガラスに押しつけた際にピンが大きくブレたり、ズレたりしないように、ピンをしっかりと固定し、保持できる強度を備える材料を用いる。
【０００９】
ピンは一端が基部の頭部に固定され、他端にテーパ状の尖端部を備える金属製の鉛筆状部材である。尖端部は、強化ガラスよりも硬度が高い、いわゆる超硬合金が望ましい。なお、超硬合金は一般的に炭化タングステンを主要成分とし、鉄、コバルト、ニッケルなどの鉄系金属で焼結した複合材料であり、ダイヤモンドに匹敵する非常に高い硬度を有する。
【００１０】
カバーはピンの尖端部が挿通する貫通孔を有し、尖端部と同軸的にピンを覆うように基部に固定された、頭部との間に間隙が形成されるドーム状の部材である、弾性変形体であり、合成樹脂製を作用することができる。貫通孔は尖端部がピンの軸線方向で挿通可能に、開口形成されている。また、カバーは外力、特にピンの軸線方向に加えられる外力により、少なくとも貫通孔近傍が弾性変形可能である。
【００１１】
本発明の強化ガラス破壊具は、基部が様々な部材に接合して使用することができる。例えば、基部を傘の持ち手いわゆる手元に固定したり、傘の石突きに固定したり、特許文献３のような警棒の一端に固定したり、ぬいぐるみやマスコット人形の鼻や手などに固定したりすることができる。また、基部を警棒や傘などの別用途部材に接合するのではなく、基部に吸着盤やストラップの紐など、どこかに保持する部材に強化ガラス破壊具を取り付けることもできる。例えば、ピンの尖端部に背向する基部に吸着盤を取り付けた場合、ピンを強化ガラスに押しつける際は吸着盤側を掌に固定することで強化ガラスを破壊することができる。また、ストラップの紐などを取り付ける場合は、基部を手でしっかりと握り力を加えられる形状とすることで、強化ガラスを破壊することができる。基部に吸着盤を取り付けた場合は、使用しない間は見つけやすい場所つまり使用される場所である強化ガラスに邪魔にならないように吸着保持させておくことができる。また、ストラップの紐を取り付けた場合は、ストラップとして普段持ち歩く鞄や携帯電話などにぶら下げておける。
【発明の効果】
【００１２】
本発明の強化ガラス破壊具は、強化ガラスを破壊可能なピンを覆うカバーがピンの尖端部が挿通可能な貫通孔を有し弾性変形可能なため、強化ガラスを破壊する際にカバーを取り外す必要がなく、またカバーを破損させる必要がない。つまり、使用後にカバーの紛失や破損によりピンの尖端部がむき出し状態になることを避けることができる。
【図面の簡単な説明】
【００１３】
【図１】実施形態１の強化ガラス破壊具１１の断面図である。
【図２】強化ガラス破壊具が取り付けられた折り畳み傘の一例を示す説明図である。
【図３】強化ガラス破壊具によって車両の窓を破損した瞬間の説明図である。
【図４】実施形態２の強化ガラス破壊具１２の断面図である。
【図５】実施形態２の強化ガラス破壊具１２に吸着体８が取り付けられた吸着可能強化ガラス破壊具１３の断面図である。
【図６】実施形態３の強化ガラス破壊具１４の一部断面図である。
【発明を実施するための形態】
【００１４】
本発明の代表的な実施形態を図１〜図６を参照して説明する。
【００１５】
（実施形態１）
本実施形態１の強化ガラス破壊具１１は、図１に示すように、基部２とピン３とカバー４とを有し、ピン３とカバー４とが同軸的に基部２固定される。
【００１６】
ピン３は、円柱状の軸部３０と軸部３０に一体的に結合した端部がテーパ状の尖端部３１とを備える金属製の鉛筆状部材である。尖端部３１は、強化ガラスよりも硬度が高い、いわゆる超硬合金が望ましい。なお、超硬合金は一般的に炭化タングステンを主要成分とし、鉄、コバルト、ニッケルなどの鉄系金属で焼結した複合材料であり、ダイヤモンドに匹敵する非常に高い硬度を有する。軸部３０は尖端部３１のように超硬合金ほどの硬度を要しないが尖端部３１と同様の素材を用い、尖端部３１と一体成形したピン３を採用することもできる。ピン３は軸線方向Ｙで尖端部３１が位置するのとは逆の軸部３０の端部(一端)３２が後述する基部２に固定される。また、ピン３は軸部３０の直径よりも尖端部３１側の円柱形状部分の直径が小さく、尖端部３１と軸部３０との間に階段状の段差部３３を有する。
【００１７】
基部２は、ドーム状の頭部２６を備える略円柱状であり、底面側に大きく開口した円柱状空間を区画する玉留２５を有し、頭部２６と玉留２５との間の中央部分にリム状の第３固定部２３が形成されている。さらに基部２は、ピン３の一端３２を固定する第１固定部２１及び第２固定部２２を有する。第１固定部２１は、頭部２６の中心に開口し、少なくとも尖端部３１を除いたピン３の大部分が挿入され、ピン３と同軸的な略円柱状の空間を形成する。第２固定部２２は、ピン３の一端３２側の底面３４に当接する。本実施形態１の強化ガラス破壊具１１の基部２は合成樹脂製であるが、尖端部３１を強化ガラスに押しつけた際にピン３が大きくブレたり、ズレたりしないように、尖端部３１が形成される側とは反対側の一端３２をしっかりと固定できる強度があれば合成樹脂製に限定されず、例えば金属製も採用できる。
【００１８】
カバー４は頭頂部分に貫通孔４０を備える内部が空洞のドーム状部材である。カバー４は端部４１が基部２の第３固定部２３に接合され、ピン３の尖端部３１と同軸的に、ピン３と基部２の一部を覆うように基部２に固定される。貫通孔４０は、ピン３の尖端部３１が軸線方向Ｙで挿通可能に、頭頂部分に開口形成されている。端部４１は、基部２の第３固定部２３に構造的に結合して固定されるか、あるいは接着剤などにより固着される。また、カバー４は貫通孔４０から端部４１までの間で且つ貫通孔４０側の内側、つまり基部２の頭部２６との間に、間隙１０が形成される形状である。カバー４は貫通孔４０近傍に外力、特に軸線方向Ｙに外力が加えられることで、間隙１０が消失するように弾性変形可能である。なお、貫通孔４０近傍のカバー４の厚み及び貫通孔４０近傍の間隙１０の軸線方向Ｙの間隔としては、カバー４が弾性変形した際に、ピン３の少なくとも尖端部３１の先端３１１が軸線方向Ｙでカバー４よりも外側に突出し、外力が加わらない場合には尖端部３１を軸線方向Ｙで隠せるよう、貫通孔４０近傍のカバー４の厚み＜貫通孔４０近傍の間隙１０の軸線方向Ｙの間隔となる。
【００１９】
本実施形態１の強化ガラス破壊具１１は、図２に示すように、折り畳み傘９の端部に取り付けることができる。強化ガラス破壊具１１を折り畳み傘９に結合できるように、基部２は第４固定部２４を有する。第４固定部２４は、玉留２５側に開口し第１固定部２１と同軸の略円柱状の空間を形成する。第１固定部２１と第４固定部２４との間に第２固定部２２が位置し、第４固定部２４に折り畳み傘９の中棒９１の端部が挿入され、固定される。そして、玉留２５は折り畳み傘９のつゆ先９２が収納される空間であり、図２では折り畳み傘９が軸線方向Ｙで縮小しきっていない状態が図示されており、縮小しきった場合につゆ先９２が玉留２５に収納される。本実施形態１の強化ガラス破壊具１１は、折り畳み傘９の構成要素の一つ、折り畳み傘９の手元として折り畳み傘９に取り付けられている。
【００２０】
本実施形態１の強化ガラス破壊具１１は、強化ガラス(図示略)を破壊しようとする場合、折り畳み傘９をしっかりと握り、ピン３の尖端部３１を強化ガラスに押しつける、又は強化ガラスに打ちつける。押しつけた力は、折り畳み傘９を握っている部分から中棒９１を介して、強化ガラス破壊具１１の基部２に、基部２を介してピン３の尖端部３１へと伝達され、強化ガラスは図３に示すように破損する。図３は、車両内にいる人９０が強化ガラス製の窓１００を強化ガラス破壊具１１によって破壊した瞬間である。
【００２１】
本実施形態１の強化ガラス破壊具１１によれば、強化ガラスを破壊可能なピン３を覆うカバー４がピン３の尖端部３１が挿通可能な貫通孔４０を有し弾性変形可能なため、強化ガラスを破壊する際にカバー４を取り外す必要がない。また、カバー４を基部２に取り付けたままの状態でもカバー４が破損することがない。つまり、使用後もピン３はカバー４に覆われているため使用後にピン３の尖端部３１がむき出し状態にならない。強化ガラス破壊具１１は折り畳み傘９に固定されているため、これまで通り折り畳み傘９として持ち運び、また使用してもピン３の尖端部３１への接触を回避できる。
【００２２】
さらに、本実施形態１の強化ガラス破壊具１１は、強化ガラスを破壊しようとする際も基部２に固定され、破損しない弾性変形体であるカバー４を備えているため、強化ガラスの破片の多くが押しつけた方向又は打ちつけた方向の延長方向側に飛び散る。つまり、強化ガラスが破壊された際に飛び散る強化ガラス片が強化ガラスを破壊した人側に飛び散りにくい。まず、強化ガラスは表面の圧縮応力層と内部の引っ張り応力層とのバランスが崩れると一瞬で全体が粉々になり、飛び散った場合は外力が加わった部分を中心に全方向に飛散するという特徴を有する。本実施形態１の強化ガラス破壊具１１の場合、ピン３の尖端部３１を強化ガラスに押しつけた際にはカバー４も強化ガラスに押しつけられている。そして、カバー４が接触する部分は尖端部３１が接触する部分に近く、強化ガラスが破壊した際の飛散の中心部分がカバー４で押しつけた方向又は打ちつけた方向に押圧されている。そのため、破壊と同時にカバー４の弾性力の働く方向、つまり戻ろうとする方向が押しつけた方向と同じため、強化ガラス破壊具１１を押しつけたのは逆側に多く飛散すると考えられる。なお、飛散の方向や量は重力方向に対する強化ガラス面の角度にも影響するため、一概に押しつけた人側に飛散しないあるいはしにくいとは限らない。
【００２３】
（実施形態２）
本実施形態２の強化ガラス破壊具１２は、図４に示すように、基部２とピン３とカバー４とを有し、ピン３とカバー４とが同軸的に基部２固定される。
【００２４】
ピン３は、円柱状の軸部３０と軸部３０に一体的に結合した端部がテーパ状の尖端部３１とを備える金属製の鉛筆状部材である。尖端部３１は、強化ガラスよりも硬度が高い、いわゆる超硬合金が望ましい。なお、超硬合金は一般的に炭化タングステンを主要成分とし、鉄、コバルト、ニッケルなどの鉄系金属で焼結した複合材料であり、ダイヤモンドに匹敵する非常に高い硬度を有する。軸部３０は尖端部３１のように超硬合金ほどの硬度を要しないが尖端部３１と同様の素材を用い、尖端部３１と一体成形したピン３を採用することもできる。ピン３は軸線方向Ｙで尖端部３１が位置するのとは逆の軸部３０の端部(一端)３２が後述する基部２に固定される。また、ピン３は軸部３０の直径よりも尖端部３１側の円柱形状部分の直径が小さく、尖端部３１と軸部３０との間に階段状の段差部３３を有する。
【００２５】
基部２は、ドーム状の頭部２６を備える略円柱状であり、底面側に開口した略円柱状空間を区画する挿入部２７を有し、中央部分にリム状の第３固定部２３が形成されている。さらに基部２は、ピン３の一端３２を固定する第１固定部２１及び第２固定部２２を有する。第１固定部２１は、頭部２６の中心に開口し、少なくとも尖端部３１を除いたピン３の大部分が挿入され、ピン３と同軸の略円柱状の空間を形成する。第２固定部２２は、ピン３の一端３２側の底面３４に当接する。本実施形態２の強化ガラス破壊具１２の基部２は金属製であるが、尖端部３１を強化ガラスに押しつけた際にピン３が大きくブレたり、ズレたりしないように、尖端部３１が形成される側とは反対側の一端３２をしっかりと固定できる強度があれば金属製に限定されず、例えば合成樹脂製も採用できる。
【００２６】
カバー４は頭頂部分に貫通孔４０を備える内部が空洞のドーム状部材である。カバー４は端部４１が基部２の第３固定部２３に接合され、ピン３の尖端部３１と同軸的に、ピン３と基部２の一部を覆うように基部２に固定される。貫通孔４０は、ピン３の尖端部３１が軸線方向Ｙで挿通可能に、頭頂部分に開口形成されている。端部４１は、基部２の第３固定部２３に構造的に結合して固定されるか、あるいは接着剤などにより固着される。また、カバー４は貫通孔４０から端部４１までの間で且つ貫通孔４０側の内側、つまり基部２の頭部２６との間に、間隙１０が形成される形状である。カバー４は貫通孔４０近傍に外力、特に軸線方向Ｙに外力が加えられることで、間隙１０が消失するように弾性変形可能である。なお、貫通孔４０近傍のカバー４の厚み及び貫通孔４０近傍の間隙１０の軸線方向Ｙの間隔としては、カバー４が弾性変形した際に、ピン３の少なくとも尖端部３１の先端３１１が軸線方向Ｙでカバー４よりも外側に突出し、外力が加わらない場合には尖端部３１を軸線方向Ｙで隠せるよう、貫通孔４０近傍のカバー４の厚み＜貫通孔４０近傍の間隙１０の軸線方向Ｙの間隔となる。
【００２７】
本実施形態２の強化ガラス破壊具１２は、図５に示すように、基部２に吸着体８が固定された吸着可能強化ガラス破壊具１３となる。吸着体８は固定部８１と吸着盤８２とからなる。固定部８１は吸着盤８２の吸着面８０とは逆側に突出し周方向に溝８１１が形成された略円柱形状である。
【００２８】
基部２の挿入部２７は、軸線方向Ｙの中央が全周にわたって中心に突出した係合部２７１を有し、吸着体８の固定部８１が挿入されると溝８１１と係合部２７１とが係合し、吸着体８が基部２に固定される。
【００２９】
吸着可能強化ガラス破壊具１３は、吸着盤８２によって強化ガラスなどの窓に吸着し、保持することができるため、緊急時以外はあまり目立たず邪魔にならない窓の片隅に取り付けておくことができる。そして、緊急時は見つけやすいというメリットがある。
【００３０】
吸着可能強化ガラス破壊具１３は、強化ガラス(図示略)を破壊しようとする場合、吸着盤８２の吸着面８０を掌にあて、ピン３の尖端部３１を強化ガラスに押しつける、又は強化ガラスに打ちつける。押しつけた力は、吸着体８の固定部８１から基部２を介してピン３の尖端部３１へと伝達され、強化ガラスが破損する。
【００３１】
本実施形態２の強化ガラス破壊具１２によれば、強化ガラスを破壊可能なピン３を覆うカバー４がピン３の尖端部３１が挿通可能な貫通孔４０を有し弾性変形可能なため、強化ガラスを破壊する際にカバー４を取り外す必要がない。また、カバー４を基部２に取り付けたままの状態でもカバー４が破損することがない。つまり、使用後もピン３はカバー４に覆われているため使用後にピン３の尖端部３１がむき出し状態にならない。
【００３２】
さらに、本実施形態２の強化ガラス破壊具１２は、強化ガラスを破壊しようとする際も基部２に固定され、破損しない弾性変形体であるカバー４を備えているため、強化ガラスの破片の多くが押しつけた方向又は打ちつけた方向の延長方向側に飛び散る。つまり、強化ガラスが破壊された際に飛び散る強化ガラス片が強化ガラスを破壊した人側に飛び散りにくい。まず、強化ガラスは表面の圧縮応力層と内部の引っ張り応力層とのバランスが崩れると一瞬で全体が粉々になり、飛び散った場合は外力が加わった部分を中心に全方向に飛散するという特徴を有する。本実施形態２の強化ガラス破壊具１２の場合、ピン３の尖端部３１を強化ガラスに押しつけた際にはカバー４も強化ガラスに押しつけられている。そして、カバー４が接触する部分は尖端部３１が接触する部分に近く、強化ガラスが破壊した際の飛散の中心部分がカバー４で押しつけた方向又は打ちつけた方向に押圧されている。そのため、破壊と同時にカバー４の弾性力の働く方向、つまり戻ろうとする方向が押しつけた方向と同じため、強化ガラス破壊具１２を押しつけたのは逆側に多く飛散すると考えられる。なお、飛散の方向や量は重力方向に対する強化ガラス面の角度にも影響するため、一概に押しつけた人側に飛散しないあるいはしにくいとは限らない。
【００３３】
（実施形態３）
本実施形態３の強化ガラス破壊具１４は、図６に示すように、基部２とピン３とカバー４とを有し、ピン３とカバー４とが同軸的に基部２固定される。
【００３４】
ピン３は、円柱状の軸部３０と軸部３０に一体的に結合した端部がテーパ状の尖端部３１とを備える金属製の鉛筆状部材である。尖端部３１は、強化ガラスよりも硬度が高い、いわゆる超硬合金が望ましい。なお、超硬合金は一般的に炭化タングステンを主要成分とし、鉄、コバルト、ニッケルなどの鉄系金属で焼結した複合材料であり、ダイヤモンドに匹敵する非常に高い硬度を有する。軸部３０は尖端部３１のように超硬合金ほどの硬度を要しないが尖端部３１と同様の素材を用い、尖端部３１と一体成形したピン３を採用することもできる。ピン３は軸線方向Ｙで尖端部３１が位置するのとは逆の軸部３０の端部(一端)３２が後述する基部２に固定される。また、ピン３は軸部３０の直径よりも尖端部３１側の円柱形状部分の直径が小さい。
【００３５】
基部２は、棒状体で、軸線方向Ｙの一端側にピン３が嵌挿され、他端側にクリップ体５が固定される。基部２の一端側には、開口し、ピン３と同軸的な略円柱状の空間を形成する第１固定部２１が区画されており、第１固定部２１に少なくとも尖端部３１を除いたピン３の大部分が挿入される。そして、基部２はピン３の一端３２側の底面３４に当接する第２固定部２２を備える。さらに基部２は、軸線方向Ｙの中心から他端側にかけて等間隔に設けられた拡径方向に突出した６つの滑り止め２８を備える。基部２の素材は、合成樹脂あるいは金属を採用することができるが、基部２の他端側から中央までに設けられるグリップ２８は合成樹脂が望ましい。また、滑り止め２８の数は６つに限定されず、少なくとも１つ設けられているのが望ましい。
【００３６】
カバー４は頭頂部分に貫通孔４０を備える内部が空洞のドーム状部材である。カバー４は端部４１が基部２の一端側に接合され、ピン３の尖端部３１と同軸的に、ピン３と基部２の一部を覆うように基部２に固定される。貫通孔４０は、ピン３の尖端部３１が軸線方向Ｙで挿通可能に、頭頂部分に開口形成されている。端部４１は、基部２の一端に嵌合されるか、あるいは接着剤などにより固着される。また、カバー４は貫通孔４０から端部４１までの間で且つ貫通孔４０側の内側、つまり基部２の一端との間に、間隙２０が形成される形状である。カバー４は貫通孔４０近傍に外力、特に軸線方向Ｙに外力が加えられることで、間隙２０が狭まるように弾性変形可能である。なお、貫通孔４０近傍のカバー４の厚み及び貫通孔４０近傍の間隙１０の軸線方向Ｙの間隔としては、カバー４が弾性変形した際に、ピン３の少なくとも尖端部３１の先端３１１が軸線方向Ｙでカバー４よりも外側に突出し、外力が加わらない場合には尖端部３１を軸線方向Ｙで隠せるよう、貫通孔４０近傍のカバー４の厚み＜貫通孔４０近傍の間隙２０の軸線方向Ｙの間隔となる。
【００３７】
クリップ体５は、基部２の他端に固定される固定端５１と、固定端５１から基部２の一端に向かって形成され、基部２の外周と若干の距離を隔てて最端部が外側に向かうように円弧状に形成された自由端５２とを備えるクリップである。本実施形態３の強化ガラス破壊具１４は自由端５２と基部２とで挟み込むことで、自身を所定箇所に保持することができる。
【００３８】
本実施形態３の強化ガラス破壊具１４は、強化ガラス(図示略)を破壊しようとする場合、基部２、特に滑り止め２８のある部分をしっかりと握り、ピン３の尖端部３１を強化ガラスに押しつける、又は強化ガラスに打ちつける。押しつけた力は、基部２からピン３の尖端部３１へと伝達され、強化ガラスが破損する。
【００３９】
本実施形態３の強化ガラス破壊具１４によれば、強化ガラスを破壊可能なピン３を覆うカバー４がピン３の尖端部３１が挿通可能な貫通孔４０を有し弾性変形可能なため、強化ガラスを破壊する際にカバー４を取り外す必要がない。また、カバー４を基部２に取り付けたままの状態でもカバー４が破損することがない。つまり、使用後もピン３はカバー４に覆われているため使用後にピン３の尖端部３１がむき出し状態にならない。
【００４０】
そして、本実施形態３の強化ガラス破壊具１４は、ボールペンやタッチペンのようなペンタイプであり、基部２に滑り止め２８が設けられていることで、強化ガラスを破損させる際には基部２を握りやすく、且つ滑りにくい。また、クリップ体５を備えるため、どこかに挟み込んで保持することができる。例えば、車内のサンバイザーや持ち歩く鞄の縁、あるいは服のポケットなど、見つけやすくて取り出しやすい場所に容易に保持することができる。
【００４１】
さらに、本実施形態３の強化ガラス破壊具１４は、強化ガラスを破壊しようとする際も基部２に固定され、破損しない弾性変形体であるカバー４を備えているため、強化ガラスの破片の多くが押しつけた方向又は打ちつけた方向の延長方向側に飛び散る。つまり、強化ガラスが破壊された際に飛び散る強化ガラス片が強化ガラスを破壊した人側に飛び散りにくい。まず、強化ガラスは表面の圧縮応力層と内部の引っ張り応力層とのバランスが崩れると一瞬で全体が粉々になり、飛び散った場合は外力が加わった部分を中心に全方向に飛散するという特徴を有する。本実施形態３の強化ガラス破壊具１４の場合、ピン３の尖端部３１を強化ガラスに押しつけた際にはカバー４も強化ガラスに押しつけられている。そして、カバー４が接触する部分は尖端部３１が接触する部分に近く、強化ガラスが破壊した際の飛散の中心部分がカバー４で押しつけた方向又は打ちつけた方向に押圧されている。そのため、破壊と同時にカバー４の弾性力の働く方向、つまり戻ろうとする方向が押しつけた方向と同じため、強化ガラス破壊具１１を押しつけたのは逆側に多く飛散すると考えられる。なお、飛散の方向や量は重力方向に対する強化ガラス面の角度にも影響するため、一概に押しつけた人側に飛散しないあるいはしにくいとは限らない。
【００４２】
（その他の実施形態）
以上、本発明の好適な実施形態について説明したが、本発明は上記実施形態に限定されるものではない。例えば、ピン３は一端３１側と尖端部３２側との間にある階段状の段差部３３が必ずしも必須でなく、基部２の第１固定部２１の尖端部３２側の開口形状を狭めることで、尖端部３２側への抜け防止とする形状を採用することができる。
【００４３】
その他に、基部２に固定される強化ガラス破壊具とは別の部材としては、折り畳み傘９や吸着体８に限定されず、洋傘、ぬいぐるみ、人形、警棒など様々なものが考えられる。折り畳み傘９のように普段持ち歩くことが多いものや強化ガラスの近くに置いても邪魔にならず、普段は飾りとして楽しめるものが考えられる。
【００４４】
また、折り畳み傘９の手元側ではなく、石突き９３側に本発明の強化ガラス破壊具を取り付けることもできる(図２参照)。なお、折り畳まないいわゆる長傘の場合、普段、石突きが地面に当接することが多いため、石突きに強化ガラス破壊具を取り付ける場合は折り畳み傘が好ましい。
【符号の説明】
【００４５】
１０：間隙、  １１，１２、１４：強化ガラス破壊具、
１３：吸着可能強化ガラス破壊具、
２：基部、  ２０：間隙、  ２１：第１固定部、  ２２：第２固定部、
２３：第３固定部、  ２４：第４固定部、２５：玉留、  ２６：頭部、
２７：挿入部、  ２７１：係合部、
３：ピン、  ３０：軸部、  ３１：尖端部、  ３１１：先端、  ３２：一端、
３３：段差部、  ３４：底面、
４：カバー、  ４０：貫通孔、  ４１：端部、
８：吸着体、  ８０：吸着面、  ８１：固定部、  ８２：吸着盤、
９：折り畳み傘、  ９１：中棒、  ９２：つゆ先、  ９３：石突き。
【図１】
0006989225.tif 000002
【図２】
0006989225.tif 000003
【図３】
0006989225.tif 000004
【図４】
0006989225.tif 000005
【図５】
0006989225.tif 000006
【図６】
0006989225.tif 000007